(57)【要約】      （修正有）【課題】多層階鉄筋コンクリート構造物における間仕切り壁について、居住者の健康を害しないようにすること、および防音性（遮音性）、防湿性、断熱性を向上させて快適な居住空間を得ること。【解決手段】積み重ねて使用する柱状木材４と、柱状木材間４に介在させるやとい実８と、柱状木材４を連結固定する連結固定部材１０と、緊張固定する緊張固定部材１１とからなり、前記柱状木材４は、上下面に凹部を形成すると共に、該凹部に所要間隔をもって複数の孔を形成し、前記やとい実８は、前記複数の孔と対応する孔が形成され、前記連結固定部材１０は、前記孔の少なくとも一つに打ち込まれて柱状木材間４に渡って位置する長さに形成され、前記緊張固定部材１１は、前記孔の内、連結固定部材１０が打ち込まれていない孔に挿通し、最下部に位置する柱状木材と最上部に位置する柱状木材間を緊張固定する。【選択図】図１
2009264044.tif 000002
【特許請求の範囲】
【請求項１】
多層階鉄筋コンクリート建造物における室内の間仕切り壁であって、
積み重ねて使用する柱状木材と、積み重ねられる柱状木材間に介在させるやとい実と、積み重ねられた柱状木材の複数を連結固定する連結固定部材と、積み重ねられた柱状木材を緊張固定する緊張固定部材とからなり、
前記柱状木材は、重なり合う上下面に凹部を形成すると共に、該凹部に所要間隔をもって複数の孔を形成し、
前記やとい実は、前記凹部に嵌る幅と凹部の深さの２倍の厚さを有し、前記複数の孔と対応する孔が形成され、
前記連結固定部材は、前記孔の少なくとも一つに打ち込まれて少なくとも上下に積み重ねられた柱状木材間に渡って位置する長さに形成され、
前記緊張固定部材は、前記孔の内、連結固定部材が打ち込まれていない孔に挿通し、最下部に位置する柱状木材と最上部に位置する柱状木材間を緊張固定する構成であること
を特徴とする間仕切り壁構造。
【請求項２】
前記柱状木材は、芯材の両側面に表面板を貼り合わせた合成または集成木材であること
を特徴とする請求項１に記載の間仕切り壁構造。
【請求項３】
前記連結固定部材は、木製の角ダボであること
を特徴とする請求項１に記載の間仕切り壁構造。
【請求項４】
前記緊張固定部材は、袋ナットを介して連結できる所要長さの複数本の固定用ボルト、または所要長さの固定用ワイヤーであり、少なくとも上端部においてバネ部材が介在していること
を特徴とする請求項１に記載の間仕切り壁構造。
【請求項５】
多層階鉄筋コンクリート建造物における室内の間仕切り壁の施工方法であって、
重なり合う上下面に凹部を形成すると共に、該凹部に所要間隔をもって複数の孔を形成し積み重ねて使用する柱状木材と、該柱状木材の積み重ねられる間に介在させ前記複数の孔と対応する孔が形成されたやとい実と、積み重ねられた柱状木材の孔に打ち込んで上下の複数を連結固定する連結固定部材と、柱状木材の孔に挿通し積み重ねられた全部の柱状木材を緊張固定する緊張固定部材とを使用し、
前記柱状木材は前記やとい実を介在させて積み重ね、複数段積み重ねる毎に前記孔の幾つかに前記連結固定部材を打ち込んで少なくとも上下に位置する柱状木材を連結固定し、
前記柱状木材の孔の内、連結固定部材が打ち込まれていない複数の孔に緊張固定部材を挿通し、該緊張固定部材は最上部まで柱状木材を積み重ねた後に最下部の柱状木材との間で緊張固定すること
を特徴とする間仕切り壁の施工方法。
【請求項６】
最上部の柱状木材は、天井構造物との間で支持部材により支持させること
を特徴とする請求項５に記載の間仕切り壁の施工方法。
【発明の詳細な説明】
【技術分野】
【０００１】
本発明は、マンションなどの多層階鉄筋コンクリート建造物において、木材を使用した部屋の間仕切り壁構造および間仕切り壁の施工方法に関するものである。
【背景技術】
【０００２】
一般にこの種の多層階鉄筋コンクリート建造物における区画壁はコンクリート壁で形成されており、その区画された中での間仕切り壁も、その一部は、建造物の駆体構築の際に同時にコンクリート壁で形成されるが、多くの場合、建造物の駆体構築後に間仕切り用の壁パネルを設置している。
【０００３】
上記区画壁の場合には、表面に装飾用のクロスを貼ったり、板状のパネルや木製の板材を取り付けたりしていることが多く、また、間仕切り用の壁パネルにおいては、石膏ボードやベニヤ板などをベースにした合成板が使用されることが多く、仕切部に複数本の間柱を取り付け、該間柱の両側から石膏ボードや合成板を取り付けるようにして間仕切りする構成である。
【０００４】
公知の間仕切り用壁パネルとして、例えば、断面形状が矩形であってその長辺の相対する面に各々溝部を形成した木軸と面材とからなる壁パネルの固定に際し、縦枠端部に、相対する縦枠溝部を挟持する側部と水平部とを備え、且つ水平部に突出片を設けた接続部材を装着し、この水平部を下地面に設けた敷桟木軸溝部に嵌入し、突出片を固定するようにしたものである（特許文献１）。
【０００５】
そして、上記構成にすることによって、突出片においてパネルを固定でき、その釘打ち等による固定は従来の斜め釘打ちに比べてはるかに容易であり、その固定は、各所で均一であって、品質安定性も良好となる。また、短時間で、確実に間仕切り壁等を構成することを可能とするというものである。
【０００６】
【特許文献１】特開平０７−２５９２２３号公報
【発明の開示】
【発明が解決しようとする課題】
【０００７】
ところで、一般的な区画壁や間仕切り用の壁パネルにおいては、クロスを貼るために化学薬剤である接着剤が使用されるため居住者にシックハウスと称される健康を害する虞があると共に、壁パネル使用の場合には、防音性（遮音性）、防湿性、断熱性に劣るという問題点を有している。
【０００８】
また、前記特許文献１に記載の間仕切り壁は、木材からなる木軸と石膏ボードの面材とからなる壁パネルで構成されているが、石膏ボードでは、やはり防音性（遮音性）、防湿性、断熱性に劣るという問題点を有している。
【０００９】
従って、従来技術および公知技術の区画壁または間仕切り壁においては、居住者の健康を害しないようにすること、および防音性（遮音性）、防湿性、断熱性を向上させて快適な居住空間を得ることに解決課題を有している。
【課題を解決するための手段】
【００１０】
本発明の一つは、多層階鉄筋コンクリート建造物における室内の間仕切り壁であって、
積み重ねて使用する柱状木材と、積み重ねられる柱状木材間に介在させるやとい実と、積み重ねられた柱状木材の複数を連結固定する連結固定部材と、積み重ねられた柱状木材を緊張固定する緊張固定部材とからなり、前記柱状木材は、重なり合う上下面に凹部を形成すると共に、該凹部に所要間隔をもって複数の孔を形成し、前記やとい実は、前記凹部に嵌る幅と凹部の深さの２倍の厚さを有し、前記複数の孔と対応する孔が形成され、前記連結固定部材は、前記孔の少なくとも一つに打ち込まれて少なくとも上下に積み重ねられた柱状木材間に渡って位置する長さに形成され、前記緊張固定部材は、前記孔の内、連結固定部材が打ち込まれていない孔に挿通し、最下部に位置する柱状木材と最上部に位置する柱状木材間を緊張固定する構成であることを特徴とする間仕切り壁構造を提供するものである。
【００１１】
この間仕切り構造の発明において、前記柱状木材は、芯材の両側面に表面板を貼り合わせた合成または集成木材であること；前記連結固定部材は、木製の角ダボであること；前記緊張固定部材は、袋ナットを介して連結できる所要長さの複数本の固定用ボルト、または所要長さの固定用ワイヤーであり、少なくとも上端部においてバネ部材が介在していること；を付加的な要件として含むものである。
【００１２】
また、本発明のもう一つは、多層階鉄筋コンクリート建造物における室内の間仕切り壁の施工方法であって、重なり合う上下面に凹部を形成すると共に、該凹部に所要間隔をもって複数の孔を形成し積み重ねて使用する柱状木材と、該柱状木材の積み重ねられる間に介在させ前記複数の孔と対応する孔が形成されたやとい実と、積み重ねられた柱状木材の孔に打ち込んで上下の複数を連結固定する連結固定部材と、柱状木材の孔に挿通し積み重ねられた全部の柱状木材を緊張固定する緊張固定部材とを使用し、前記柱状木材は前記やとい実を介在させて積み重ね、複数段積み重ねる毎に前記孔の幾つかに前記連結固定部材を打ち込んで少なくとも上下に位置する柱状木材を連結固定し、前記柱状木材の孔の内、連結固定部材が打ち込まれていない複数の孔に緊張固定部材を挿通し、該緊張固定部材は最上部まで柱状木材を積み重ねた後に最下部の柱状木材との間で緊張固定することを特徴とする間仕切り壁の施工方法を提供するものである。
【００１３】
この施工方法の発明においては、最上部の柱状木材は、天井構造物との間で支持部材により支持させること、を付加的な構成要件として含むものである。
【発明の効果】
【００１４】
本発明に係る間仕切り壁構造においては、使用される主たる材料が木材であることにより、室内の調湿性や断熱性および遮音性に優れると共に、自然の素材がそのままであって肌触りが良く反響音も少ないばかりでなくシックハウス症候群なども解消され、優しい環境を造り出すことができる。
また、間仕切り壁の施工方法においては、全ての部品を工場で生産でき、全体が嵩張らずに施工現場に運び込むことができ、施工現場においては、主たる材料の柱状木材を順次積み重ねては連結固定部材を打ち込むだけで安定した状態で積み重ねができ、作業性も向上させることができる。
【発明を実施するための最良の形態】
【００１５】
次に本発明を図示の具体的な実施の形態に基づいて詳しく説明する。図１〜図６は本発明に係る第１の実施の形態に係る間仕切り壁を示すものであり、図１は同間仕切り壁構造の一部を切り欠いて示した斜視図、図２は同間仕切り壁に使用される構成部材の一部を拡大し分離して示した斜視図、図３は同間仕切り壁に使用される上部側の緊張固定部材を示す斜視図、図４は同間仕切り壁の構築状況を略示的に示した説明図、図５は同間仕切り壁における緊張固定部材の配設状況の要部のみを略示的に示した拡大断面図、図６は同間仕切り壁における連結固定部材の配設状況の要部のみを略示的に示した拡大断面図である。また、図７〜図１０は本発明に係る第２の実施の形態に係る間仕切り壁を示すものであり、図７は同間仕切り壁の構築状況を略示的に示した説明図、図８は同間仕切り壁に使用される構成部材の一部を拡大し分離して示した斜視図、図９は同間仕切り壁に使用される緊張固定部材を略示的に示した斜視図、図１０は同間仕切り壁における緊張固定部材の配設状況の要部のみを略示的に示した拡大断面図である。
【００１６】
まず、図１において、マンションなどの鉄筋コンクリート建造物において、間仕切りしようとする床スラブ１上に木材で形成した所要厚みの床ガイドＴバー２を間仕切り位置に合わせて固定する。この床ガイドＴバー２は要するに間仕切り壁３の土台（基礎）となるものであり、構築される間仕切り壁３の長さと厚みに対応させた寸法に形成されると共に位置決め用の突部２ａと固定用の孔２ｂとが形成されており、正確に位置決めして駆体、即ち床スラブ１に固定される。
【００１７】
固定した床ガイドＴバー２上に、間仕切り壁３を構成する主たる材料の柱状木材４を複数段順次積み重ねて構築する。この場合の柱状木材４は、図２に示したように、角柱状に形成し各角部を面取り加工５したものであり、積み重ねにより上下の重なり合う面に、長さ方向に沿って所要幅と深さの凹部６を形成すると共に、その凹部６に、該凹部６の中心線に沿って上下に貫通する所要大きさの複数個の孔７を所要間隔をもって形成してある。
【００１８】
また、柱状木材４を積み重ねる上で、上下の凹部６にそれぞれ嵌め込んで隙間をなくす役目と共に積み重ねの位置決めをするやとい実８が用いられる。このやとい実８も木材で形成され、柱状木材４と同じ長さで凹部６の幅と略同じ幅で凹部６の深さの略２倍の厚みに形成すると共に、前記複数個の孔７と対応させて同数の孔９を形成してある。
【００１９】
さらに、柱状木材４の積み重ねにおいて、その積み重ね状態を連結させ安定させるために、前記孔７、９の幾つかに打ち込ん連結固定させる連結固定部材として木材で形成した角ダボ１０が使用される。この角ダボ１０の長さは柱状木材４の厚みの略２倍で、対向する角を結ぶ対角線の長さは孔７、９の直径よりも僅かに大きく形成してある。なお、最下部と最上部に使用される角ダボ１０の長さは柱状木材４の厚みの略１〜１．７５倍程度である場合もある。
【００２０】
そして、間仕切り壁３の支えとして前記孔７、９の幾つかに挿通して締め付ける緊張固定部材として固定用ボルト１１が使用される。この固定用ボルト１１の長さは、柱状木材４の厚みの少なくとも４〜５倍の長さで、少なくとも両端部にネジ山１１ａが形成されており、該ネジ山１１ａに連結用の袋ナット１２を螺着させて複数本が連結できるようになっている。
【００２１】
なお、最上部における柱状木材４の固定は、図３に示したように、比較的短い固定用ボルト１３が使用され、該固定用ボルト１３下端部にはネジ山１３ａが形成され、上端部にはナット状の角形ヘッド１３ｂが一体に形成されている。そして、この固定用ボルト１３を定着させるための角形座金１４、コイルスプリング１５およびめりこみ防止用のワッシャー１６が使用される。
【００２２】
これらの主たる部材を使用して間仕切り壁３の構築または施工について、図１乃至図４を参照して説明すると、床スラブ１上に固定した床ガイドＴバー２に対して最下部の柱状木材４を積み重ねてセットする。この場合に、最下部の１段目の柱状木材４には固定用ボルト１１が挿通される孔７や電気配線または電話用配線が予定される孔７に対応する位置に作業用または点検用の切欠部４ａが予め設けられている。そして、セットされた１段目の柱状木材４の下部の凹部６に床ガイドＴバー２の突部２ａが嵌って正確に位置決めされる。
【００２３】
位置決めしてセットされた１段目の柱状木材４に対して、その柱状木材４の上部の凹部６に孔７と孔９との位置を合わせて、やとい実８を嵌め込んでから２段目の柱状木材４を積み重ねると、先に１段目の柱状木材４の凹部６に嵌め込んであるやとい実８の上部に２段目の柱状木材４の下部側の凹部６が嵌って位置決めされて正確にセットされる。
【００２４】
このように２段目の柱状木材４がセットされた状態で、固定用ボルト１１や電気配線または電話用配線が予定される孔７を除いて、他の孔７に角ダボ１０を打ち込む。この場合の角ダボ１０の長さは柱状木材４の厚みの略１．７５倍程度の長さであって、取り敢えず２段目の柱状木材４の上面に一致する高さまで打ち込んだ後に、例えば、角ダボ１０よりも小径で柱状木材４の厚みと略同じ長さの補助棒等を用い、該補助棒を角ダボ１０の上端部に当接させてさらに角ダボ１０を終点まで打ち込むようにする。このようにして打ち込まれた角ダボ１０の下端部は床ガイドＴバー２の固定用の孔２ｂに打ち込まれ、上端部は２段目の柱状木材４の中間位置に位置して床ガイドＴバー２と１段目および２段目の柱状木材４が仮の状態ではあるが連結固定される。
【００２５】
３段目以降は、上記と同じようにやとい実８を介在させながら柱状木材４が２段ずつ積み重ねられては角ダボ１０を同じように打ち込んで連結固定すると、後で打ち込んだ角ダボ１０の下端は、先に打ち込んだ２段目の中間位置において角ダボ１０の上端と当接し、該角ダボ１０の上端は４段目の柱状木材４の略中間位置に位置し、一連の状態になって連結固定の状態を維持する。
【００２６】
このように積み重ねて連結固定する途中で、５段目の柱状木材４を積み重ねた段階で、固定用ボルト１１を予定された所定の孔７に上部からそれぞれ挿着する。この場合に、固定用ボルト１１の上端部には予め袋ナット１２を螺着させた状態で装着し、固定用ボルト１１の下端部が最下部柱状木材４の切欠部４ａに臨むようになり、その下端部に角形の力板または座金１７を嵌めナット１８を螺着させて一応仮に定着させる（図４参照）。
なお、作業上必要があれば、図示していないが、切欠部４ａにクサビ状の支持部材等を打ち込んで仮に定着させた座金１７およびナット１８を固定用ボルト１１と一緒に上方に持ち上げて置くことができる。
【００２７】
さらに、５段目から上部には前記の手法（工法）と同様に、やとい実８の介在と、角ダボ１０の打ち込みと、固定用ボルト１１の連結とを行いながら順次最上段まで柱状木材４を積み重ねるものであるが、５段目以降の固定ボルト１１の連結については、上部から装着した固定用ボルト１１を単にねじ込むようにすることで、下部の固定用ボルト１１の上端に取り付けてある袋ナット１２に螺着して連結が簡単に行えるのである。また、柱状木材４の厚みと天井スラブ３０の高さの関係で、柱状木材４の積み重ね本数が異なる場合がある。そのような時には、予め設計の段階で、角ダボ１０と固定用ボルト１１の長さを設定しておけば、積み重ねが容易に行えるのである。
【００２８】
そして、最上部に積み重ねる柱状木材４の孔７は、予め段差部７ａが設けられている。最上部の柱状木材４を積み重ねる際には、予め柱状木材４の孔７に角ダボ１０を打ち込むと共に、図３に示した短目の固定用ボルト１３を挿着した状態で載置する。この場合に、固定用ボルト１３には、角形座金１４、コイルスプリング１５およびめりこみ防止用のワッシャー１６を嵌めた状態で装着する。このように装着することで、天井スラブとの間隔が僅かであっても積み重ねることができ、角ダボ１０を押し込んで固定すると共に固定用ボルト１３については、コイルスプリング１５を押圧しながらねじ込むようにすれば下部の袋ナット１２に螺合し、めりこみ防止用ワッシャー１６が段差部７ａに当接し、さらに所要のレンチで締め込むことにより下部の固定用ボルト１１と一連に連結して緊張した状態になる（図５および図６参照）。
【００２９】
特に、固定用ボルト１３を締め付けることによって、コイルスプリング１５の弾性により一連に連結された固定用ボルト１１、１３は常に緊張した状態で締め付けており、最下部に位置する柱状木材４から最上部に位置する柱状木材４までを所要の圧力で締め付けているのである。このように締め付けることによって、柱状木材４が乾燥時期に多少縮小しても積層状態において隙間が生じないし、また、湿気が多い時期に吸湿によって膨張してもそれに追従するのであり、全体として無理なく安定した積み重ね状態を維持すると共に、縮小・膨張により柱状木材４が暴れて変形する（曲がる）のを防止できるのである。
【００３０】
このように柱状木材４を積み重ねて鈎状に形成した間仕切り壁３は、やとい実８と角ダボ１０と固定ボルト１１、１３とによって、撓みや変形やズレが生じないで壁としての起立状態をキチント維持できるが、好ましくは、転倒防止のために間仕切り壁３の上部を一対のアングル桿１９で両側から挟み複数箇所で天井構造物３１に固定する。そして、間仕切り壁３の内部に電気配線などをする場合には、天井構造物３１側から予定している孔７に配線を挿通し、下部の切欠部４ａ側において配線を引き回しコンセントなどの適宜器具を接続すればよい。
【００３１】
さらに、間仕切り壁３を構築後に、室内の体裁を整えるために、間仕切り壁３の下部側には幅木２０を取り付けて切欠部４ａを塞ぎ、上部側には天井構造３１との境部分に回り縁２１を取り付けるようにする。図示の実施の形態では、柱状木材４に所要間隔をもって８個の孔７を設け、３箇所の孔７に角ダボ１０を打ち込み、４箇所の孔７に固定用ボルト１１を挿通して緊張固定し、１箇所の孔７を配線用とした例を示したがこれに限定されることなく、孔７の数や角ダボ１０または固定用ボルト１１の数につては適宜選択することができることはいうまでもない。  
【００３２】
次に、本発明の第２の実施の形態に係る間仕切り壁について図７〜図１０を参照して説明する。なお、この第２の実施の形態については、柱状部材４の構成と、緊張固定部材として使用される固定用ボルト１１に代えて固定用ワイヤー２２が使用された点で前記第１の実施の形態と構成が相違し、その他の構成部分は略同一である。従って、理解を容易にするため、前記第１の実施の形態と同一部分については、同一符号を付して説明する。
【００３３】
まず、図７を参照して説明すると、間仕切り壁３の構築または施工について前記第１の実施の形態と同様に、床スラブ１上に固定した床ガイドＴバー２に対して最下部の柱状木材４を積み重ねてセットする。
【００３４】
この場合に使用される柱状木材４は、図８に示したように、無垢の木材ではなく、芯材４ｂに対して両面側から心材４ｂよりも幅の広い正目の表面板４ｃ、４ｄを貼り合わせた合成または集成の柱状木材である。そして、表面板４ｃ、４ｄにおける外側に面する各角部を面取り加工５したものであり、また、表面板４ｃ、４ｄにより柱状木材４として上下の重なり合う面、即ち、心材４ｂの上下面は所要幅と深さの凹部６となり、その凹部６に、該凹部６の中心線に沿って上下に貫通する所要大きさの複数個の孔７を所要間隔をもって形成してあり、その凹部６にそれぞれ嵌め込んで隙間をなくす役目と共に積み重ねの位置決めをするやとい実８が用いられ、このやとい実８も木材で形成され、柱状木材４と同じ長さで凹部６の幅と略同じ幅で凹部６の深さの略２倍の厚みに形成すると共に、前記複数個の孔７と対応させて同数の孔９を形成してある点で前記第１の実施の形態と同じである。
【００３５】
このような合成または集成の柱状木材４とすることにより、芯材４ｂは、細くて節目のある木材が使用でき、表面板４ｃ、４ｄには正目の揃った体裁の良い木材が使用できることから、材料無駄がなく経済的に有利であると共に室内の内装材としても優れたものとなり、且つ、積み重ねて間仕切り壁３として長期に渡っても変形が生じないのである。
【００３６】
床ガイドＴバー２に積み重ねられた最下部の１段目の柱状木材４には固定用ボルト１１が挿通される孔７や電気配線または電話用配線が予定される孔７に対応する位置に作業用または点検用の切欠部４ａが予め設けられている。そして、セットされた１段目の柱状木材４の下部の凹部６に床ガイドＴバー２の突部２ａが嵌って正確に位置決めされる。
【００３７】
位置決めしてセットされた１段目の柱状木材４に対して、その柱状木材４の上部の凹部６に孔７と孔９との位置を合わせて、やとい実８を嵌め込んでから２段目の柱状木材４を積み重ねると、先に１段目の柱状木材４の凹部６に嵌め込んであるやとい実８の上部に２段目の柱状木材４の下部側の凹部６が嵌って位置決めされて正確にセットされる。
【００３８】
このように２段目の柱状木材４がセットされた状態で、３段目以降の柱状木材４を順次積み重ねて連結固定部材である角ダボ１０を打ち込んで最上部の柱状木材４まで連結固定される点は前記第１の実施の形態と同じである。但し、緊張固定部材である固定用ワイヤー２２については、最上部の柱状木材４を積み重ねて連結固定した後に上部から挿通して緊張固定するのである。
【００３９】
この固定用ワイヤー２２は、図９に示したように、固定用ワイヤー２２の上下端にはそれぞれネジ桿２３、２４が適宜の手段で連結されており、上部のネジ桿２３はやや長く形成し、該ネジ桿２３の定着固定には角形座金１４、コイルスプリング１５、めりこみ防止用のワッシャー１６および締め付け用のナット２５が使用され、下部のネジ桿２４は短めに形成し、該ネジ桿２４の定着固定には角形座金１７と締め付け用のナット１８とが使用される。
【００４０】
柱状木材４を順次積み重ね角ダボ１０で連結固定して最上部まで積み重ねた後に、最上部の柱状部材４の角ダボ１０が打ち込まれていない孔７から固定用ワイヤー２２の下端部となるネジ桿２４側から順次落とし込むように挿通させ、ネジ桿２４の先端が下部の柱状木材４の切欠部４ａに達した時に、ネジ桿２４の先端部に対して角形座金１７を嵌め込むと共にナット１８を螺着させる。その後、上端側のネジ桿２３を少し引き上げて、めりこみ防止用のワッシャー１６、コイルスプリング１５、角形座金１４の順に装着し、締め付け用ナット２５を螺着させる。めりこみ防止用のワッシャー１６が孔７の段差部７ａに当接した状態になり、さらに締め付け用ナット２５をレンチ等の適宜の道具で締め付けることによりバネ材、即ちコイルスプリング１５の反発力で固定用ワイヤー２２が緊張状態に張設される。
【００４１】
このように柱状木材４を積み重ねて構築した間仕切り壁３は、図１０に示したように、やとい実８と角ダボ１０と固定用ワイヤー２２とによって、撓みや変形やズレが生じないで壁としての起立状態をキチント維持できる。そして、前記第１の実施の形態と同様に、転倒防止のために間仕切り壁３の上部を一対のアングル桿１９で両側から挟み複数箇所で天井構造物３１に固定する。そして、間仕切り壁３の内部に電気配線などをする場合には、天井構造物３１側から予定している孔７に配線を挿通し、下部の切欠部４ａ側において配線を引き回しコンセントなどの適宜器具を接続すればよい。
【００４２】
さらに、間仕切り壁３を構築後に、室内の体裁を整えるために、間仕切り壁３の下部側には幅木２０を取り付けて切欠部４ａを塞ぎ、上部側には天井構造３１との境部分に回り縁２１を取り付けるようにする。図示の実施の形態では、柱状木材４に所要間隔をもって８個の孔７を設け、３箇所の孔７に角ダボ１０を打ち込み、４箇所の孔７に固定用ワイヤー２２を挿通して緊張固定し、１箇所の孔７を配線用とした例を示したがこれに限定されることはないのである。なお、図示の実施の形態では、柱状木材４として角柱を示したが丸柱を使用できることは勿論である。
【産業上の利用可能性】
【００４３】
いずれにしても本発明に係る間仕切り壁構造および間仕切り壁の施工方法においては、高層の多層階鉄筋コンクリート建造物に限らず、民家における２階建て住宅などにおいても、二階の床スラブを形成する際でも適用できるのであり、あらゆる建造物において広く利用できるのである。
【図面の簡単な説明】
【００４４】
【図１】本発明の第１の実施の形態に係る間仕切り壁の構造の一部を切り欠いて略示的に示した斜視図である。
【図２】同間仕切り壁に使用される構成部材の一部を拡大し分離して示した斜視図である。
【図３】同間仕切り壁に使用される上部側の緊張固定部材を示す斜視図である。
【図４】同間仕切り壁の構築状況を略示的に示した説明図である。
【図５】同間仕切り壁における緊張固定部材の配設状況の要部のみを略示的に示した拡大断面図である。
【図６】同間仕切り壁における連結固定部材の配設状況の要部のみを略示的に示した拡大断面図である。
【図７】本発明に係る第２の実施の形態に係る間仕切り壁の構築状況を略示的に示した説明図である。
【図８】同間仕切り壁に使用される構成部材の一部を拡大し分離して示した斜視図である。
【図９】同間仕切り壁に使用される緊張固定部材を略示的に示した斜視図である。
【図１０】同間仕切り壁における緊張固定部材の配設状況の要部のみを略示的に示した拡大断面図である。
【符号の説明】
【００４５】
１  床スラブ
２  床ガイドＴバー
３  間仕切り壁
４  柱状木材
４ａ  切欠部
５  面取り部
６  凹部
７、９  孔
８  やとい実
１０  角ダボ
１１、１３  固定用ボルト
１２  袋ナット
１４、１７  角形座金
１５  コイルスプリング
１６  めりこみ防止用ワッシャー
１８、２５  ナット  
１９  アングル桿
２０  幅木
２１  回り縁
２２  固定用ワイヤー
２３、２４  ネジ桿
【図１】
2009264044.tif 000003
【図２】
2009264044.tif 000004
【図３】
2009264044.tif 000005
【図４】
2009264044.tif 000006
【図５】
2009264044.tif 000007
【図６】
2009264044.tif 000008
【図７】
2009264044.tif 000009
【図８】
2009264044.tif 000010
【図９】
2009264044.tif 000011
【図１０】
2009264044.tif 000012